(57)【要約】【課題】組立式の収納ケースにおいて収納ケースの形状を保持しやすくする。【解決手段】矩形状の底板部と、底板部の各辺の端部に立設された複数の側板部と、を備え、各側板部は、隣り合う２つの側板部それぞれに対向する左右の側端部のうち少なくともいずれか一方に、折り曲げ可能に連結された側板用係合片を備え、隣り合う２つの側板部のうち少なくともいずれか一方から折り曲げられた側板用係合片と係合している。【選択図】図１
2017137100.tif 000002
【特許請求の範囲】
【請求項１】
矩形状の底板部と、
前記底板部の各辺の端部に立設された複数の側板部と、
を備え、
各側板部は、隣り合う２つの前記側板部それぞれに対向する左右の側端部のうち少なくともいずれか一方に、折り曲げ可能に連結された側板用係合片を備え、
前記各側板部は、隣り合う２つの前記側板部のうち少なくともいずれか一方から折り曲げられた前記側板用係合片と係合している、
ことを特徴とする収納ケース。
【請求項２】
前記収納ケースの開口部から見て、前記側板用係合片は、各側板部の側端部から時計回り方向または反時計回り方向に延出するように備えられている、
ことを特徴とする請求項１に記載の収納ケース。
【請求項３】
前記側板用係合片は、上側係合片と下側係合片とを含み、
前記収納ケースの開口部から見て、
前記上側係合片は、各側板部の側端部の上側から時計回り方向及び反時計回り方向のいずれか一方の方向に延出し、
前記下側係合片は、各側板部の側端部の下側から時回り方向及び反時計回り方向の他方の方向に延出するように備えられている、
ことを特徴とする請求項１に記載の収納ケース。
【請求項４】
前記側板用係合片は、凹状または凸状の嵌合部材を含み、
各側板部は、隣接する前記側板部の前記嵌合部材が嵌合するための凹状または凸状の被嵌合部材を含む、
ことを特徴とする請求項１に記載の収納ケース。
【請求項５】
各側板部は、前記底板部の各辺から一体的に延出しており、前記底板部の各辺において折り曲げ可能に連結されている、
ことを特徴とする請求項１に記載の収納ケース。
【請求項６】
前記収納ケースの開口部を覆う矩形状の蓋板部をさらに備え、
前記蓋板部は、当該蓋板部の各辺に折り曲げ可能に連結された蓋板用係合片を備え、
前記蓋板用係合片が隣接する前記側板部に係合する、
ことを特徴とする請求項１に記載の収納ケース。
【請求項７】
前記収納ケースの蓋板部側から見て、前記蓋板用係合片は、前記蓋板部の各辺において時計回り方向または反時計回り方向に片寄るように備えられている、
ことを特徴とする請求項６に記載の収納ケース。
【請求項８】
各側板部は、前記底板部の各辺から一体的に延出しており、前記底板部の各辺において折り曲げ可能に連結され、
前記蓋板部は、前記複数の側板部のいずれか１つの上端部から一体的に延出しており、当該側板部の上端部において折り曲げ可能に連結されている、
ことを特徴とする請求項６に記載の収納ケース。
【発明の詳細な説明】
【技術分野】
【０００１】
本発明は、収納ケースに関する。
【背景技術】
【０００２】
従来、表示パネル等の電子機器を収納する組立式の収納ケースが知られている。組立式の収納ケースは、底板部と側板部とを係合することで収納ケースを箱形状に保持する。
【先行技術文献】
【特許文献】
【０００３】
【特許文献１】特開２００１−２７０５８１号公報
【発明の概要】
【発明が解決しようとする課題】
【０００４】
例えば表示パネル等を収納した収納ケースを誤って落下させてしまった場合に、落下した衝撃で収納ケースの係合が外れることで収納ケースの形状を保持できず、表示パネル等を傷つけてしまう可能性がある。
【０００５】
本発明は、上記課題に鑑みて為されたものであり、その目的は、組立式の収納ケースにおいて収納ケースの形状を保持しやすくする。
【課題を解決するための手段】
【０００６】
本発明に係る収納ケースは、上記課題を解決するために、矩形状の底板部と、前記底板部の各辺の端部に立設された複数の側板部と、を備え、各側板部は、隣り合う２つの前記側板部それぞれに対向する左右の側端部のうち少なくともいずれか一方に、折り曲げ可能に連結された側板用係合片を備え、前記各側板部は、隣り合う２つの前記側板部のうち少なくともいずれか一方から折り曲げられた前記側板用係合片と係合している、ことを特徴とする。
【０００７】
本発明に係る収納ケースにおいて、前記収納ケースの開口部から見て、前記側板用係合片は、各側板部の側端部から時計回り方向または反時計回り方向に延出するように備えられていてもよい。
【０００８】
本発明に係る収納ケースにおいて、前記側板用係合片は、上側係合片と下側係合片とを含み、前記収納ケースの開口部から見て、前記上側係合片は、各側板部の側端部の上側から時計回り方向及び反時計回り方向のいずれか一方の方向に延出し、前記下側係合片は、各側板部の側端部の下側から時回り方向及び反時計回り方向の他方の方向に延出するように備えられていてもよい。
【０００９】
本発明に係る収納ケースにおいて、前記側板用係合片は、凹状または凸状の嵌合部材を含み、各側板部は、隣接する前記側板部の前記嵌合部材が嵌合するための凹状または凸状の被嵌合部材を含んでもよい。
【００１０】
本発明に係る収納ケースにおいて、各側板部は、前記底板部の各辺から一体的に延出しており、前記底板部の各辺において折り曲げ可能に連結されていてもよい。
【００１１】
本発明に係る収納ケースにおいて、前記収納ケースの開口部を覆う矩形状の蓋板部をさらに備え、前記蓋板部は、当該蓋板部の各辺に折り曲げ可能に連結された蓋板用係合片を備え、前記蓋板用係合片が隣接する前記側板部に係合してもよい。
【００１２】
本発明に係る収納ケースにおいて、前記収納ケースの蓋板部側から見て、前記蓋板用係合片は、前記蓋板部の各辺において時計回り方向または反時計回り方向に片寄るように備えられていてもよい。
【００１３】
本発明に係る収納ケースにおいて、各側板部は、前記底板部の各辺から一体的に延出しており、前記底板部の各辺において折り曲げ可能に連結され、前記蓋板部は、前記複数の側板部のいずれか１つの上端部から一体的に延出しており、当該側板部の上端部において折り曲げ可能に連結されてもよい。
【発明の効果】
【００１４】
本発明に係る収納ケースによれば、収納ケースの形状を保持しやすくなる。
【図面の簡単な説明】
【００１５】
【図１】本実施形態に係る収納ケースを示す斜視図である。
【図２】本実施形態に係る収納ケースの展開図である。
【図３Ａ】本実施形態に係る収納ケースが床面に衝突する前の収納ケースの状態を示す図である。
【図３Ｂ】本実施形態に係る収納ケースが床面に衝突する際の収納ケースの状態を示す図である。
【図３Ｃ】本実施形態に係る収納ケースが床面に衝突した後の収納ケースの状態を示す図である。
【図４】本実施形態に係る側板用係合片が外れた収納ケースの状態を模式的に示す図である。
【図５】比較例に係る収納ケースの斜視図である。
【図６】比較例に係る収納ケースの展開図である。
【図７Ａ】比較例に係る収納ケースが床面に衝突する前の収納ケースの状態を示す図である。
【図７Ｂ】比較例に係る収納ケースが床面に衝突する際の収納ケースの状態を示す図である。
【図７Ｃ】比較例に係る収納ケースが床面に衝突した後の収納ケースの状態を示す図である。
【図８】比較例に係る側板用係合片が外れた収納ケースの状態を模式的に示す図である。
【図９】本実施形態の他の例に係る収納ケースの斜視図である。
【図１０】本実施形態の他の例に係る収納ケースの展開図である。
【図１１】本実施形態に係る蓋板部を備える収納ケースを示す斜視図である。
【図１２】本実施形態に係る蓋板部を備える収納ケースの展開図である。
【図１３】蓋板部が一体成形された収納ケースの展開図の一例である。
【発明を実施するための形態】
【００１６】
以下、本発明の一施形態に係る収納ケース１について図面を参照しながら説明する。なお、図面については、同一または同等の要素には同一の符号を付し、重複する説明は省略する。
【００１７】
図１は、本実施形態に係る収納ケース１を示す斜視図である。図２は、本実施形態に係る収納ケース１の展開図である。
【００１８】
収納ケース１は、その内部に表示パネル１０等の電子機器やガラス等の収納物を収納させ、収納物の保管や搬送を可能とするものである。本実施形態では、収納ケース１は表示パネル１０を収納するものとして説明する。
【００１９】
図１及び図２に示すように、収納ケース１は、上面が開放された略直方体をなす箱形状である。すなわち、収納ケース１は、矩形状の底板部２と、底板部２の各辺の端部に立設された複数の側板部３（３ａ〜３ｄ）と、を備えている。底板部２と複数の側板部３とを組み立てることで箱形状の収納ケース１が形成される。
【００２０】
各側板部３は、隣り合う２つの側板部３それぞれに対向する左右の側端部（右側端部１１、左側端部１２）のうち少なくともいずれか一方に、折り曲げ可能に連結された側板用係合片３０を備える。そして、各側板部３は、隣り合う２つの側板部３のうち少なくともいずれか一方から折り曲げられた側板用係合片３０と係合している。つまり、各側板部３に少なくとも一つの側板用係合片３０が備えられる。また、各側板部３は、右側端部１１と左側端部１２とのいずれか一方だけに、側板用係合片３０を備えていてもよい。具体的には、各側板部３は、開口部４から見て時計回り方向または反時計回り方向に延出するように側板用係合片３０を備えていてもよい。
【００２１】
図１においては、各側板部３は、左側端部１２において開口部４から見て反時計回り方向に延出するように側板用係合片３０を備えている。なお、各側板部３は、右側端部１１において開口部４から見て時計回り方向に延出するように側板用係合片３０を備えていてもよい。また各側板部３は、右側端部１１及び左側端部１２の両方に側板用係合片３０を備えていてもよい。そして、各側板部３は、隣り合う側板部３から折り曲げられた側板用係合片３０と係合している。側板用係合片３０は、側板部３の外面を覆うように側板部３に係合している。
【００２２】
また、側板用係合片３０の内面には、嵌合部材３２が備えられている。一方、各側板部３の外面には、隣接する側板部３の嵌合部材３２が嵌合するための被嵌合部材３３が備えられている。図１及び図２においては、側板部３の右側端部１１に沿って被嵌合部材３３が備えられている。例えば、嵌合部材３２は凹状または凸状の嵌合部材であり、被嵌合部材３３は凸状または凹状の被嵌合部材である。側板用係合片３０に備えられる嵌合部材３２と、側板部３に備えられる被嵌合部材３３とが嵌合することで側板用係合片３０と側板部３との係合が強固となる。なお、嵌合部材３２及び被嵌合部材３３の形状は上記の例に限定されず、側板用係合片と側板部とが係合可能な形状であればよい。また側板用係合片と側板部との固定方法は上記の例に限定されず、接着剤等の接着材料により接着固定されてもよい。
【００２３】
側板用係合片３０と側板部３とが係合することで、収納ケース１は箱形状を保持して表示パネル１０を収納可能とする。表示パネル１０は、開口部４から出し入れ可能となっており、底板部２の上に一列に並んで収納される。表示パネル１０が収納された収納ケース１は、通常、底板部２を底にした状態で保管、搬送される。
【００２４】
また、収納ケース１は、図２の展開図に示すように、一枚の部材で一体成形されている。図２に示すように、各側板部３は、底板部２の各辺から一体的に延出しており、底板部２の各辺において折り曲げ可能に連結されている。さらに、側板用係合片３０は、側板部３の左側端部１２から一体的に延出しており、左側端部１２において折り曲げ可能に連結されている。また、嵌合部材３２及び被嵌合部材３３はそれぞれ、側板用係合片３０及び側板部３と一体に成形されている。収納ケース１には、ＰＥＴ等の素材が用いられる。なお、図１及び図２においては、収納ケース１が一枚の部材で一体成形される例を示したが、この例に限定されない。例えば底板部２と各側板部３とは分離されていてもよい。この場合は、各側板部３が連結部材により底板部２に連結されてもよい。また、側板用係合片３０と側板部３とが分離されていてもよい。この場合も側板用係合片３０が連結部材により側板部３に連結されてもよい。
【００２５】
本実施形態では、収納ケース１に表示パネル１０が収納された状態で、収納ケース１が落下することを想定する。ここでは、収納ケース１の側板部３が床に衝突するように収納ケース１が落下する場合について説明する。図３Ａ〜図３Ｃは、本実施形態に係る収納ケース１が落下する際の収納ケース１の状態変化を示す図である。図３Ａは、本実施形態に係る収納ケース１が床面に衝突する前の収納ケース１の状態を示す図である。図３Ｂは、本実施形態に係る収納ケース１が床面に衝突する際の収納ケース１の状態を示す図である。図３Ｃは、本実施形態に係る収納ケース１が床面に衝突した後の収納ケース１の状態を示す図である。図３Ａ〜図３Ｃは、収納ケース１を開口部４から見た状態を示している。
【００２６】
図３Ａに示すように、本実施形態において収納ケース１は、いずれかの側板部３が床面に向かうように落下する。ここでは、側板部３ａが床面に向かうように落下することとする。そして、収納ケース１が床面に衝突すると、図３Ｂに示すように、収納ケース１が床面に衝突した衝撃で、収納ケース１に縦方向（落下方向）の力が加わり、収納ケース１は横方向に膨らむ。図３Ｂでは、側板部３ｂ及び側板部３ｄが収納ケース１の外側に向けて膨らむ。ここで、側板部３ｂには、側板部３ｃから側板用係合片３０が側板部３ｂを覆うように係合している。また、側板部３ｄには、側板部３ａから側板用係合片３０が側板部３ｄを覆うように係合している。側板部３ｂ及び側板部３ｄが収納ケース１の外側に向けて膨らむことで、側板部３ｂ及び側板部３ｄそれぞれに係合している側板用係合片３０に対して係合が外れる方向に力が加わることとなる。その結果、図３Ｃに示すように側板部３ｂ及び側板部３ｄそれぞれに係合していた側板用係合片３０が外れてしまうことがある。これに対して、側板部３ａには、側板部３ｂから側板用係合片３０が側板部３ａを覆うように係合し、側板部３ｃには、側板部３ｄから側板用係合片３０が側板部３ｃを覆うように係合しており、側板用係合片３０に対して、係合が外れる方向に直交する方向の力が加わることとなる。このため、側板部３ａ及び側板部３ｃそれぞれに係合している側板用係合片３０は外れ難く、側板部３ａ及び側板部３ｃそれぞれに係合している状態が維持される。また、側板部３ａに係合している側板用係合片３０は、床面と収納ケース１との間に挟まれることで特に外れ難くなる。このように、側板部３ａ及び側板部３ｃそれぞれに係合している側板用係合片３０が、側板部３ａ及び側板部３ｃそれぞれに係合している状態が維持されるため、収納ケース１は箱形状を保持することができる。図４は、本実施形態に係る側板用係合片３０が外れた収納ケース１の状態を模式的に示す図である。図４に示すように、側板部３ｂ及び側板部３ｄから側板用係合片３０が外れた場合であっても、収納ケース１は、通常状態（底板部２を底にした状態）で箱形状を保持することができる。これにより、収納ケース１が落下した際の表示パネル１０の変形や破損を防止することができる。なお、上述の例では、収納ケース１が床面に落下する場合について説明したが、例えば収納ケース１の側板部３の外側から外力が加えられた際にも同様に収納ケース１の箱形状を保持することができ、表示パネル１０の変形や破損を防止することができる。
【００２７】
次に、図５及び図６を用いて、比較例に係る収納ケース１００について説明する。図５は、比較例に係る収納ケース１００の斜視図である。図６は、比較例に係る収納ケース１００の展開図である。
【００２８】
収納ケース１００は、上面が開放された略直方体をなす箱形状の本体と、開放された上面（開口部１０４）を開閉可能に覆う矩形状の蓋板部１０５と、を備える。収納ケース１００の本体は、矩形状の底板部１０２と、底板部１０２の各辺の端部に立設された複数の側板部１０３（１０３ａ〜１０３ｄ）と、を備えている。
【００２９】
互いに対向する２つの側板部１０３（１０３ａ、１０３ｃ）は、隣り合う２つの側板部１０３（１０３ｂ、１０３ｄ）それぞれに対向する左右の側端部（右側端部１１１、左側端部１１２）の両方に、折り曲げ可能に連結された側板用係合片１３０を備える。他の側板部１０３（１０３ｂ、１０３ｄ）は、側板用係合片１３０を備えていない。側板部１０３ｂ、側板部１０３ｄは、隣り合う２つの側板部１０３（１０３ａ、１０３ｃ）から折り曲げられた側板用係合片１３０と係合している。
【００３０】
また、側板用係合片１３０の内面には、嵌合部材１３２が備えられている。一方、側板部１０３（１０３ｂ、１０３ｄ）の外面には、嵌合部材１３２が嵌合するための被嵌合部材１３３が備えられている。例えば、嵌合部材１３２は凹状または凸状の嵌合部材であり、被嵌合部材１３３は凸状または凹状の被嵌合部材である。側板用係合片１３０に備えられる嵌合部材１３２と、側板部１０３に備えられる被嵌合部材１３３とが嵌合することで側板用係合片１３０と側板部１０３との係合が強固となる。
【００３１】
側板用係合片１３０と側板部１０３とが係合することで、収納ケース１００の本体は箱形状を保持して表示パネル１１０を収納可能とする。表示パネル１１０は、開口部１０４から出し入れ可能となっており、底板部１０２上で一列に並んで収納される。表示パネル１１０が収納された収納ケース１００は、通常、底板部１０２を底にした状態で保管、搬送される。
【００３２】
収納ケース１００の蓋板部１０５は、蓋板部１０５の各辺の端部に立設された複数の蓋板用係合片１５０を備えている。各側板部１０３が、蓋板部１０５から折り曲げられた蓋板用係合片１５０と係合することで蓋板部１０５が収納ケース１００に装着される。また、蓋板用係合片１５０の内面には嵌合部材１５５が備えられ、各側板部１０３の外面には嵌合部材１５５が嵌合するための被嵌合部材１３５が備えられる。収納ケース１００に表示パネル１１０を収納した後に蓋板部１０５が装着されることで、収納ケース１００が倒れたときなどに表示パネル１１０が収納ケース１００から飛び出すことを防止する。
【００３３】
また、収納ケース１００の本体は、図６の展開図に示すように、一枚の部材で一体成形されている。図６に示すように、各側板部１０３は、底板部１０２の各辺から一体的に延出しており、底板部１０２の各辺において折り曲げ可能に連結されている。収納ケース１００には、ＰＥＴ等の素材が用いられる。
【００３４】
本比較例において、収納ケース１００に表示パネル１１０が収納され蓋板部１０５が装着された状態で、収納ケース１００が落下する際の収納ケース１００の状態変化について説明する。図７Ａ〜図７Ｃは、比較例に係る収納ケース１００が落下する際の収納ケース１００の状態変化を示す図である。本比較例では、収納ケース１００の側板部１０３が床に衝突するように収納ケース１００が落下することとする。
【００３５】
まず、側板用係合片１３０が係合していない側板部１０３（１０３ａまたは１０３ｃ）が床面に衝突するように収納ケース１００が落下する場合について説明する。図７Ａ〜図７Ｃは、側板部１０３ａが床面に衝突する場合の収納ケース１００の状態を模式的に示す図である。図７Ａ〜図７Ｃは、比較例に係る収納ケース１００を蓋板部１０５から見た状態を示している。図７Ａは、比較例に係る収納ケース１００が床面に衝突する前の収納ケース１００の状態を示す図である。図７Ｂは、比較例に係る収納ケース１００が床面に衝突する際の収納ケース１００の状態を示す図である。図７Ｃは、比較例に係る収納ケース１００が床面に衝突した後の収納ケース１００の状態を示す図である。
【００３６】
図７Ａに示すように、本比較例において収納ケース１００は、側板用係合片１３０が係合していない側板部１０３（ここでは、側板部１０３ａとする）を下にして床面に向けて落下する。そして、収納ケース１００が床面に衝突すると、図７Ｂに示すように、収納ケース１００が床面に衝突した衝撃で、収納ケース１００に縦方向（落下方向）の力が加わり、収納ケース１００は横方向に膨らむ。図７Ｂでは、側板部１０３ｂ及び側板部１０３ｄが収納ケース１００の外側に向けて膨らむ。ここで、側板部１０３ｂ及び側板部１０３ｄには、側板部１０３ａ及び側板部１０３ｃから側板用係合片１３０が各側板部１０３を覆うように係合している。また、側板部１０３ｂ及び側板部１０３ｄには、蓋板部１０５から蓋板用係合片１５０が各側板部１０３を覆うように係合している。側板部１０３ｂ及び側板部１０３ｄが収納ケース１００の外側に向けて膨らむことで、側板部１０３ｂ及び側板部１０３ｄそれぞれに係合している側板用係合片１３０及び蓋板用係合片１５０に対して係合が外れる方向に力が加わることとなる。その結果、図７Ｃに示すように側板部１０３ｂ及び側板部１０３ｄそれぞれに係合していた側板用係合片１３０及び蓋板用係合片１５０が外れてしまう。即ち、側板部１０３ｂ及び側板部１０３ｄそれぞれに係合していたすべての係合片が外れることとなるため、収納ケース１００は箱形状を保持することができなくなる。図８は、比較例に係る側板用係合片１３０が外れた収納ケース１００の状態を模式的に示す図である。図８に示すように、通常状態（底板部２を底にした状態）において側板部１０３ｂ及び側板部１０３ｄは、収納ケース１００の外側に展開してしまい、収納ケース１００は通常状態において箱形状を保持することができなくなる。そのため、収納ケース１００に収納されている表示パネル１１０も定位置に留まることができなくなり、表示パネル１１０の変形や破損に繋がる。なお、比較例においては、側板部１０３ｂまたは側板部１０３ｄを下にして落下した場合には、いずれの側板用係合片１３０も外れ難くなるため収納ケース１００の箱形状は保持される。
【００３７】
このように、本実施形態に係る収納ケース１は、比較例に係る収納ケース１００と比較して、いずれの側板部３を下にして落下したとしても、収納ケース１の箱形状を保持して表示パネル１０の変形や破損を防止することができる。
【００３８】
なお、本実施形態の収納ケース１は上述の例に限定されるものではない。
【００３９】
例えば、側板用係合片３０は、図１及び図２に示す形状に限定されない。図９は、本実施形態の他の例に係る収納ケース１の斜視図である。図１０は、本実施形態の他の例に係る収納ケース１の展開図である。図９及び図１０に示す収納ケース１は、側板用係合片３０の形状が異なる点を除けば、図１及び図２に示す収納ケース１と同様であるため、重複する説明はここでは省略する。
【００４０】
図９及び図１０に示す収納ケース１において、各側板部３は、隣り合う２つの側板部３それぞれに対向する左右の側端部（右側端部１１、左側端部１２）の両方に、折り曲げ可能に連結された側板用係合片（下側係合片４１及び上側係合片４２を備えている。そして、開口部４から見て、上側係合片４２は、各側板部３の側端部の上側から時計回り方向及び反時計回り方向のいずれか一方の方向に延出し、下側係合片４１は、各側板部３の側端部の下側から時回り方向及び反時計回り方向の他方の方向に延出するように備えられている。具体的には、図９及び図１０においては、各側板部３は、右側端部１１の下側において開口部４から見て時計回り方向に延出するように下側係合片４１を備えている。また、各側板部３は、左側端部１２の上側において開口部４から見て反時計回り方向に延出するように上側係合片４２を備えている。そして、各側板部３が下側係合片４１及び上側係合片４２を備えることで、図３Ａ〜図３Ｃに示すように側板部３が床面に向かうように落下したとしても、各側板部３において下側係合片４１及び上側係合片４２の少なくともいずれか一方が係合した状態となるため、収納ケース１は、通常状態で箱形状を保持することができる。なお、各側板部３は、右側端部１１の上側において開口部４から見て時計回り方向に延出するように下側係合片４１を備え、左側端部１２の下側において開口部４から見て反時計回り方向に延出するように上側係合片４２を備えてもよい。
【００４１】
また、本実施形態に係る収納ケース１は、開放された上面（開口部４）を開閉可能に覆う矩形状の蓋板部５を備えていてもよい。図１１は、本実施形態に係る蓋板部を備える収納ケース１を示す斜視図である。図１２は、本実施形態に係る蓋板部を備える収納ケース１の展開図である。収納ケース１の蓋板部５は、蓋板部５の各辺の端部に立設された複数の蓋板用係合片５０を備えている。また、蓋板用係合片５０の内面には嵌合部材５５が備えられ、各側板部３の外面には嵌合部材５５が嵌合するための被嵌合部材３５が備えられる。蓋板部５から折り曲げられた蓋板用係合片５０が、隣接する側板部３に係合することで蓋板部５が収納ケース１に装着される。蓋板用係合片５０は、蓋板部５の各辺において隣接する側板部３に係合している側板用係合片３０に重ならない位置に備えられている。具体的には、収納ケース１の蓋板部５側から見て、側板用係合片３０が、各側板部３の側端部から時計回り方向または反時計回り方向に延出するように備えられている場合に、蓋板用係合片５０は、蓋板部５の各辺において時計回り方向または反時計回り方向に片寄るように備えられている。なお、側板用係合片３０が、各側板部３の右側端部１１と左側端部１２とのいずれか一方に備えられている場合は、蓋板用係合片５０は、蓋板部５の各辺において隣接する側板部３の右側端部１１と左側端部１２とのいずれか一方に片寄るように備えられていてもよい。なお、蓋板用係合片５０は、蓋板部５の全辺の端部に立設されるだけに限定されず、蓋板部５の少なくとも一辺の端部に立設されてもよい。このように収納ケース１に表示パネル１０を収納した後に蓋板部５が装着されることで、収納ケース１が倒れたときなどに表示パネル１０が収納ケース１から飛び出すことを防止する。
【００４２】
なお、蓋板部５は、収納ケース１と一体成形されてもよい。図１３は、蓋板部５が一体成形された収納ケース１の展開図の一例である。図１３に示すように、蓋板部５は、いずれか１つの側板部３（ここでは、側板部３ｄ）の上端部１３から一体的に延出し、当該側板部３の上端部１３において折り曲げ可能に連結されている。また、蓋板部５は、蓋板部５の３辺の端部に立設された複数の蓋板用係合片５０を備えている。また、蓋板用係合片５０の内面には嵌合部材５５が備えられ、３つの側板部３（３ａ、３ｂ、３ｃ）の外面には嵌合部材５５が嵌合するための被嵌合部材３５が備えられる。３つの側板部３（３ａ、３ｂ、３ｃ）が、蓋板部５から折り曲げられた蓋板用係合片５０と係合することで蓋板部５が収納ケース１に装着される。
【００４３】
以上、本発明の実施の形態について説明したが、本発明は上記各実施の形態に限定されるものではなく、本発明の趣旨を逸脱しない範囲内で上記実施の形態から当業者が適宜変更した形態も本発明の技術的範囲に含まれることは言うまでもない。
【符号の説明】
【００４４】
１，１００  収納ケース、２，１０２  底板部、３，３ａ，３ｂ，３ｃ，３ｄ，１０３，１０３ａ，１０３ｂ，１０３ｃ，１０３ｄ  側板部、４，１０４  開口部、５，１０５  蓋板部、１０，１１０  表示パネル、１１，１１１  右側端部、１２，１１２  左側端部、３０，１３０  側板用係合片、１３  上端部、３２，５５，１３２，１５５  嵌合部材、３３，３５，１３３，１３５  被嵌合部材、４１  下側係合片、４２  上側係合片、５０，１５０  蓋板用係合片。
【図１】
2017137100.tif 000003
【図２】
2017137100.tif 000004
【図３Ａ】
2017137100.tif 000005
【図３Ｂ】
2017137100.tif 000006
【図３Ｃ】
2017137100.tif 000007
【図４】
2017137100.tif 000008
【図５】
2017137100.tif 000009
【図６】
2017137100.tif 000010
【図７Ａ】
2017137100.tif 000011
【図７Ｂ】
2017137100.tif 000012
【図７Ｃ】
2017137100.tif 000013
【図８】
2017137100.tif 000014
【図９】
2017137100.tif 000015
【図１０】
2017137100.tif 000016
【図１１】
2017137100.tif 000017
【図１２】
2017137100.tif 000018
【図１３】
2017137100.tif 000019